(57)【要約】【課題】  簡易な構成によってパッドローラブロックをカード走行路に対して開閉自在にすることにより、カードリーダにおけるメンテナンス作業や組付け作業を容易に行えるカード搬送機構を提供する。【解決手段】  本体ブロック１に支持された複数の駆動ローラ４ａ，５ａ，６ａと協動してカード走行路３に挿入されるカードＣを搬送する複数のパッドローラ４ｂ，５ｂ，６ｂを支持するパッドローラブロック１５を開閉自在に配設したカード搬送機構は、パッドローラをバネ部材１９，２０によって駆動ローラの方向に弾性付勢すると共に、係合アーム１７，１８が設けられ、本体ブロック１に形成した係合溝２３に係合させてカード走行路３と平行にスライドすることにより、係合アーム１７，１８と係合溝２３との係合を解除させたときに一方の係合アームを支点にパッドローラブロック１５を上方に回動させる。【選択図】  図１
2005089054.tif 000002
【特許請求の範囲】
【請求項１】
本体ブロックに支持された複数の駆動ローラと協動してカード走行路に挿入されるカードを搬送する複数のパッドローラを支持すると共に、上記駆動ローラに対して上記パッドローラを接近反離可能に開閉自在に配設としたパッドローラブロックを備えたカード搬送機構であって、
上記パッドローラは、上記パッドローラブロックとの間に配設したバネ部材によって上記駆動ローラの方向に弾性付勢され、
上記パッドローラブロックは、上記本体ブロックに形成した係合部に係合する係合アームが設けられ、
上記係合部は、一端に上記本体ブロックから上記係合アームを解除可能な開口を有する係合溝を有し、
上記パッドローラブロックは係合溝によって上記カード走行路と平行にスライド可能に構成し、他方の上記係合アームと上記係合溝との係合を解除させたときに一方の上記係合アームを支点に上記パッドローラブロックを上方に回動させるように構成したことを特徴とするカード搬送機構。
【請求項２】
上記係合部の係合溝は、少なくとも一方に係止部が形成され、カード搬送モードのときには、上記係合アームを上記係止部に係止して上記パッドローラブロックの平行移動を阻止する請求項１に記載のカード搬送機構。
【請求項３】
上記バネ部材は、一端側を上記係合アームに取り付けられ、他端側を上記パッドローラの枢軸を支持する支持板に取り付けられ、上記支持板を上記カード走行路と直行する方向に移動自在に支持した請求項１および２に記載のカード搬送機構。
【請求項４】
一方側の上記係合アームは、上記パッドローラブロックの上記カード走行路の一方側に設けられ、他方側の上記係合アームは、上記パッドローラブロックの上記カード走行路の他方側に設けられ、上記パッドローラブロックは一方側の上記係合アームを支点として回動させ、カード走行方向の一方側を離間させる請求項１に記載のカード搬送機構。
【請求項５】
一方側の上記係合アームは、上記パッドローラブロックの上記カード走行路と直行する幅方向の一方側に設けられ、他方側の上記係合アームは、上記パッドローラブロックの他方側から突出させ、上記パッドローラブロックは一方側の上記係合アームを支点として回動させ、カード走行方向と直行する方向の一方側を離間させる請求項１に記載のカード搬送機構。
【発明の詳細な説明】
【技術分野】
【０００１】
本発明は、磁気カードの磁気情報を処理するカードリーダにおけるカード搬送機構に関し、詳しくは、駆動ローラに従動してカードを搬送するパッドローラを支持したパッドローラブロックを本体ブロックに対して開閉自在に配設したカード搬送機構に関する。
【背景技術】
【０００２】
磁気カードに対する磁気情報の記録再生を磁気ヘッドで行うカード処理装置としてのカードリーダでは、カード走行路に挿入されるカードを駆動ローラと従動ローラからなる搬送ローラ対で挟持して搬送している。上記カードリーダは、磁気カードの搬送による塵の集積、あるいは、摺接による磁気ヘッドの摩耗または汚染を未然に防止するために、所定時期にカード走行路や磁気ヘッドの点検または交換等のメンテナンス作業を行っている。このようなメンテナンスを行う場合には、例えば、駆動ローラに対して一定の圧力で付勢されている従動ローラを取り除いてカード走行路および磁気ヘッドを露出させることが必要となる。メンテナンス作業の都度、従動ローラを取り除き、また組み付けの作業を行うことは繁雑であり、しかも、多くの作業時間を要することから、従動ローラをブロックに支持し、このブロックをカード走行路に対して開閉自在に構成する手段が提案され、実用に供されている。
【０００３】
カードリーダにおいて、ブロック化した従動ローラを開閉自在に構成したローラ支持機構は、例えば、特開平７−３３４６２６号公報（特許文献１）に開示されている。この特許文献１に記載されたカードリーダのパッドローラ支持機構は、本体ブロックに支持された複数の駆動ローラと協動してカード走行路に挿入されるカードを搬送する複数のパッドローラを、カード走行路と平行に設けた枢軸を中心に本体ブロックに開閉自在に枢支して駆動ローラに対してパッドローラを接近反離可能としたパッドローラブロックで支持している。そして、パッドローラブロックへの回動付勢力を与えるためのバネ部材の作動領域と非作動領域との間でパッドローラブロックと上記バネ部材とに係脱可能に支持された押圧板を、上記バネ部材の作動領域においてパッドローラブロックと係合させることにより、同パッドローラブロックにパッドローラを駆動ローラに接近させる方向への回動付勢力を与え、押圧とパッドローラブロックとの係合を解くことによってパッドローラブロックへの回動付勢力を解除するようにしている。
【０００４】
上述した構成のローラ支持機構は、バネ部材を作動領域と非作動領域に切り換えるための機構を設けることにより、パッドローラブロックに対する回動付勢力の印加と解除を切り換えるようにしていることから、機構が複雑なためにコストアップになる問題があった。すなわち、メンテナンス作業を行うためには、パッドローラブロック自体を開放状態に保つ必要がある。ところが、回動付勢力を与えるバネ部材をパッドローラブロックに設けているために、常に回動付勢力が作用してしまうことが原因であり、この結果、バネ部材の作動領域を切り換える必要があり、複雑な機構と多くの部品を必要としていた。また、パッドローラを駆動ローラに押圧する弾性付勢力は、パッドローラブロックに回動付勢力を与えるバネ部材の弾力によって得ているが、この弾力がバネ部材の作動領域を切り換える機構やパッドローラブロックの開閉機構等を介して伝達されることから、各機構の寸法精度の累積誤差によって、駆動ローラに対する必要な押圧力が得られない場合がある。
【０００５】
【特許文献１】特開平７−３３４６２６号公報
【発明の開示】
【発明が解決しようとする課題】
【０００６】
本発明が解決しようとする課題は、簡易な構成によってパッドローラブロックをカード走行路に対して開閉自在にすることにより、カードリーダにおけるメンテナンス作業や組付け作業を容易に行えるカード搬送機構を提供することにある。
【課題を解決するための手段】
【０００７】
上記課題を解決するため、請求項１記載の発明は、本体ブロックに支持された複数の駆動ローラと協動してカード走行路に挿入されるカードを搬送する複数のパッドローラを支持すると共に、上記駆動ローラに対して上記パッドローラを接近反離可能に開閉自在に配設としたパッドローラブロックを備えたカード搬送機構であって、
上記パッドローラは、上記パッドローラブロックとの間に配設したバネ部材によって上記駆動ローラの方向に弾性付勢され、
上記パッドローラブロックは、上記本体ブロックに形成した係合部に係合する係合アームが設けられ、
上記係合部は、一端に上記本体ブロックから上記係合アームを解除可能な開口を有する係合溝を有し、
他方の上記係合アームと上記係合溝との係合を解除させたときに一方の上記係合アームを支点に上記パッドローラブロックを上方に回動させるように構成したことを要旨とする。
【０００８】
また、請求項２に記載の発明は、上記係合部の係合溝は、少なくとも一方に係止部が形成され、カード搬送モードのときには、上記係合アームを上記係止部に係止して上記パッドローラブロックの平行移動を阻止することを要旨とする。
【０００９】
さらに、請求項３に記載の発明は、上記バネ部材は、一端側を上記係合アームに取り付けられ、他端側を上記パッドローラの枢軸を支持する支持板に取り付けられ、上記支持板を上記カード走行路と直行する方向に移動自在に支持したことを要旨とする。
【００１０】
さらにまた、請求項４に記載の発明は、一方側の上記係合アームは、上記パッドローラブロックの上記カード走行路の一方側に設けられ、他方側の上記係合アームは、上記パッドローラブロックの上記カード走行路の他方側に設けられ、上記パッドローラブロックは一方側の上記係合アームを支点として回動させ、カード走行方向の一方側を離間させることを要旨とする。
【００１１】
また、請求項５に記載の発明は、一方側の上記係合アームは、上記パッドローラブロックの上記カード走行路と直行する幅方向の一方側に設けられ、他方側の上記係合アームは、上記パッドローラブロックの他方側から突出させ、上記パッドローラブロックは一方側の上記係合アームを支点として回動させ、カード走行方向と直行する方向の一方側を離間させることを要旨とする。
【発明の効果】
【００１２】
本発明によれば、カード走行路に挿入されるカードを駆動ローラと共に搬送するパッドローラをパッドローラブロックに配設し、パッドローラをパッドローラブロックとの間に配設したバネ部材により駆動ローラ方向に弾性付勢したので、パッドローラブロックは駆動ローラから離脱させたときに自由状態とすることができる。また、パッドローラブロックに設けた少なくとも一対の係合アームを、本体ブロックに形成した係合部に対して係合と解除を行うように構成し、さらに、一方の係合アームを支点にパッドローラブロックを回動可能に構成したので、パッドローラブロックが弾性付勢されずにカード走行路に対して開放状態とすることができる。さらにまた、パッドローラの弾性付勢力を、パッドローラブロックとの間に配設したバネ部材によって与えているので、駆動ローラに対して必要十分な弾性付勢力を得ることが可能となる。
【００１３】
また、請求項２に記載の発明によれば、カードが搬送ローラ対で搬送するカード搬送モードのときに、パッドローラブロックが係合部に形成された係止部によって平行移動を阻止しているので、カードを所定の状態で挟持しながら搬送することが可能となる。
【００１４】
さらに、請求項３に記載の発明によれば、バネ部材を係合アームと支持板の間に取り付け、支持板をバネ部材の弾力に抗して移動自在に支持しているので、カード搬送モードのときには、カードを所定の圧力で挟持しながら搬送することが可能となる。
【００１５】
さらにまた、請求項４に記載の発明によれば、カード走行路の前後に設けた一対の係合アームの何れか一方を回動支点として、パッドローラブロックの他方をカード走行方向から離間させるようにしたので、メンテナンス作業や組付け作業を容易に行うことが可能となる。
【００１６】
また、請求項５に記載の発明によれば、カード走行路の幅方向の一方に設けた一対の係合アームを回動支点とし、他方に突出させた係合アームを係合部に係合させ、パッドローラブロックを回動させて他方をカード走行方向から離間させるようにしたので、メンテナンス作業や組付け作業を容易に行うことが可能となる。
【発明を実施するための最良の形態】
【００１７】
駆動ローラと協動してカード走行路に挿入されるカードを搬送する複数のパッドローラは、パッドローラブロックに回転自在に配設され、これら複数のパッドローラは、バネ部材によって駆動ローラの方向に弾性付勢されている。上記パッドローラブロックには一対の係合アームが設けられ、本体ブロックに形成した係合部に係合させる。係合部は、上記パッドローラブロックがカード走行路と平行に移動可能に形成され、一端に上記本体ブロックから解除可能な開口を形成すると共に、上記係合アームと係合する係合溝が形成されている。上記パッドローラブロックを上記係合溝にガイドされてカード走行路と平行に移動すると、一方の上記係合アームが係合部に形成した開口から離脱して係合が解除され、他方の上記係合アームを回動支点として上記パッドローラブロックがカード走行路から離間する。また、上記パッドローラブロックの一方の係合アームを開口から挿入して平行に移動すると、係合アームが係合部の係止部に係合し、複数のパッドローラは上記バネ部材によって駆動ローラに弾圧したカード搬送モードになる。
【実施例１】
【００１８】
先ず、本発明を適用したカードリーダの構成について説明する。図１に符号１で示すカードリーダの本体ブロックは、キャッシュカードに代表される磁気カードＣの磁気情報を処理するものである。カードＣは、既知のように、カード本体の一側長手方向に磁気ストライプが設けられている。この磁気ストライプには、磁気情報が記録されていて、磁気ヘッド７によって情報を読み取り、必要に応じて磁気情報が記録、更新される。
【００１９】
カードリーダの本体ブロック１は、図１に示すように、カード挿入口２から矢印ａで示すカード進入方向に向かって延出形成されたカード走行路３、カード走行路３に挿入されるカードＣを搬送する複数の搬送ローラ４，５，６、磁気カードＣに磁気処理を行う磁気ヘッド７、カード走行路３に進退自在な図示しないシャッターから主に構成されている。カード走行路３は、本体ブロックを構成する側板８，９の間に形成されていて、側板９の内面をカード搬送時の走行基準面としている。側板８側には、挿入されるカードＣの一側を走行基準面に沿って搬送すべく、例えば板バネでカード走行路３内に向けて付勢された押圧部材（図示しない）が設けられている。
【００２０】
搬送ローラ対４，５，６は、カード挿入口２からカード走行路３の奥の方に向けて配設されている。各搬送ローラ対は、それぞれ左右一対の駆動ローラ４ａ，５ａ，６ａと従動ローラとしての左右一対のパッドローラ４ｂ，５ｂ，６ｂとから構成されており、互いに対向配置されている。駆動ローラ４ａ，５ａ，６ａは、カード走行路３の下方に設けられていて、側板８，９に枢支された回転軸１０，１１，１２にそれぞれ固定されている。パッドローラ４ｂ，５ｂ，６ｂは、カード走行路３の上方に配置されたパッドローラブロック１５に回転自在に支持されている。
【００２１】
駆動ローラ４ａ，５ａ，６ａを枢支した回転軸１０，１１，１２には、図示しないプーリが固定され、このプーリと、駆動源としての正逆回転可能なモータ１３の駆動軸に固定された駆動プーリ１４との間には図示しない駆動ベルトが巻き掛けられ、モータ１３によって駆動ローラ４ａ，５ａ，６ａを回転駆動している。
【００２２】
磁気ヘッド７は、磁気カードＣの磁気ストライプに摺接して、ストライプに記録された磁気情報を読み取り、あるいは、同ストライプに磁気情報を記録するものであり、カード走行路３を介して磁気ストライプと対向する部位に配置すると共に、カード走行路３内にそのヘッド面を臨ませている。
【００２３】
挿入口２の近傍には、磁気カードＣの磁気ストライプと接触するプリヘッド３０がカード走行路３内に下から臨んでいる。このプリヘッド３０は、磁気ヘッドから構成されて、カードＣの磁気信号の有無によりカードの種別を検知するもので、ここではモータ１３の起動や、上述したシャッターの開閉動作の制御をするためのトリガーの一部としている。
【００２４】
次に、パッドローラブロック１５について説明する。パッドローラブロック１５は、駆動ローラ４ａ，５ａ，６ａと協動してカード走行路３に挿入される磁気カードＣを搬送するパッドローラ４ｂ，５ｂ，６ｂを支持している。すなわち、パッドローラブロック１５は、３個のパッドローラ４ｂ，５ｂ，６ｂを回転自在に支持する支持部材１６と、カード走行路３の前後に設けられた係合アーム１７，１８と、この係合アーム１７，１８とパッドローラ４ｂ，６ｂとの間に設けられたバネ部材としての一対のコイルスプリング１９，２０と、このコイルスプリング１９，２０の一端側を係合アーム側で支持する固定支持板２１、およびパッドローラ４ｂ，６ｂ側で支持する可動支持板２２とから主に構成されている。（図２、図３を参照）
【００２５】
パッドローラブロック１５の支持部材１６は、カード走行路３を覆うような大きさに形成されていて、前記駆動ローラ４ａ，５ａ，６ａに対応させてパッドローラ４ｂ，５ｂ，６ｂを配置するように、カード走行路３の前後位置は幅広に形成され、中央部は幅狭に形成している。また、支持部材１６には、上面部１６ａから下方に向かう壁部１６ｂを左右に垂下させている。
【００２６】
上記支持部材１５には、カード走行路３の前後位置に、円柱状に形成された係合アーム１７，１８が各先端を支持部材１６の壁部１６ｂから突出させて取り付けられている。係合アーム１７，１８には、略コ字状に屈曲形成した固定支持板２１の両側部が固着されている。固定支持板２１の下端面には、左右一対のコイルスプリング１９，２０の一端側が取り付けられている。また、支持部材１６の下端部には、同支持部材１６の両側部に嵌合するように略コ字状に屈曲形成した可動支持板２２が上下動可能に設けられている。そして、可動支持板１５には、コイルスプリング１９，２０の他端側が取り付けられている。このコイルスプリング１９，２０は、常時は可動支持板２２を固定支持板２１から離間するように弾性付勢している。また、可動支持板２２の両側部には、左右一対のパッドローラ４ｂ，６ｂが各々回転自在に枢支されている。これらのパッドローラ４ｂ，６ｂは、前記駆動ローラ４ａ，６ａに押圧させることにより、コイルスプリング１９，２０の弾力に抗して移動すると共に、コイルスプリング１９，２０のバネ圧に従って前記駆動ローラ４ａ，６ａに押圧される。パッドローラ５ｂは、支持部材１５の中央に回転自在に枢支されているが、バネ部材は設けていない。
【００２７】
一方、本体ブロックの側板８，９の前後には、係合部としての係合溝２３，２４が、各々カード走行路３と平行に形成されている。側板８，９の前記カード挿入口２近傍の前方に形成された係合溝２３は、前方側に開口２３ａが形成され、また、後方に形成された係合溝２４は略Ｌ字状に形成され、後方側を上方に屈曲させた係止部２４ａが形成されている。そして、前方に形成された係合溝２３には、パッドローラブロック１６の前方に取り付けられた係合アーム１７の両端を係合させ、後方に形成された係合溝２４には、パッドローラブロック１６の後方に取り付けられた係合アーム１８の両端を係合させていて、パッドローラブロック１６は、係合溝２３，２４にガイドされながら前後に水平移動させることができる。
【００２８】
以下、カードリーダの動作を説明する。図１（Ａ）および図４は、カード搬送モードを示している。すなわち、パッドローラブロック１６の前方の係合アーム１７は、前方に形成された係合溝２３に係合され、後方の係合アーム１８は、係合溝２４の係止部２４ａに落とし込まれて係止されている。このカード搬送モードでは、パッドローラ４ｂ，６ｂがコイルスプリング１９，２０弾力に抗して駆動ローラ４ａ，６ａに押圧され、パッドローラ５ｂが駆動ローラ５ａに当接している。
【００２９】
このカード搬送モードにおいて、磁気カードＣをカード挿入口２に差し込んで磁気ストライプの磁気信号をプリヘッド３０が検知すると、図示しない電磁ソレノイドによりシャッターがカード走行路３から退避してカード走行路３を開くと共に、駆動モータ１３が起動して駆動プーリが回転すると共に、ベルトを介してプーリがそれぞれ搬送ローラ対４，５，６を駆動することにより、磁気カードＣがカード走行路３内に取り込まれる。カードＣが取り込まれると、シャッターが閉じられ、カードの連続挿入や異物のカード走行路３内への挿入が阻止される。挿入された磁気カードＣは、磁気ヘッド７によって磁気情報の読込み、書込み及び確認（ベリファイ）等を行う所定の処理が行なわれ、この処理動作が終了すると磁気カードＣ挿入口２とは反対方向に向かって搬送されて排出される。
【００３０】
次に、パッドローラブロックの解除、組み付け動作について説明する。先ず、図１（Ａ）の状態から、パッドローラブロック１６の後方を、図１（Ｂ）の矢印ｂで示す下方向に押圧して係合溝２４の係止部２４ａから後方の係合アーム１８を解除すると共に、矢印ｃで示す右方向に押圧しながら移動する。このとき、係合アーム１８が係合溝２４にガイドされるので、パッドローラブロック１６はほぼ水平に移動する。その結果、前方の係合アーム１７が前方の係合溝２３の開口２３ａから突出することにより、図１（Ｂ）に示すように係合が解除される。なお、この状態から、パッドローラブロック１６をさらに右方向に移動させようとしても、後方の係合アーム１８が係合溝２４の右端に当接して移動を阻止する。前方の係合アーム１７が解除された後に、パッドローラブロック１６の前方側を図示上方に持ち上げることにより、図１（Ｃ）および図５に示すように、パッドローラブロック１６は後方の係合アーム１８を回動支点として回動するので、本体ブロック１のカード走行路３が開放状態となる。この状態において、各種のメンテナンス作業を行うことができる。
【００３１】
また、パッドローラブロックを組み付けるときは、パッドローラブロック１６を図示下方に回動して、図１（Ｂ）に示すように、前方の係合アーム１７を前方の係合溝２３の開口２３ａに合わせように押圧する。このとき、パッドローラ４ｂ，６ｂがコイルスプリング１９，２０の弾力に抗して駆動ローラ４ａ，６ａに押圧され、パッドローラ５ｂが駆動ローラ５ａに当接する。次に、パッドローラブロック１６を矢印ｄに示す左方向に移動する。そして、後方の係合アーム１８が係合溝２４の係止部２４ａまで到達すると、後方の係合アーム１８がコイルスプリング１９，２０の弾力により係止部に落とし込まれることによって、パッドローラブロック１６が本体ブロック１に対して不動の状態となる。この組み付け操作によって、カードリーダは、再び前述したカード搬送モードにすることができる。
【００３２】
以上説明した実施例１において、前後に配設したパッドローラ４ｂ，６ｂを駆動ローラ４ａ，６ａに押圧付勢する機構は同様に構成しているので、固定支持板２１、可動支持板２２、および、コイルスプリング１９，２０については、同符号を示している。また、バネ部材としてのコイルスプリング１９，２０は、各々２個づつ使用しているが、１個のコイルスプリングであっても良く、バネ部材は、コイルスプリング以外に、板バネに変更するか、弾性を有するゴムまたは剛性樹脂に置換しても良い。さらに、パッドローラ５ｂにもバネ部材を設けても良い。このように、３個のパッドローラ４ｂ，５ｂ，６ｂをバネ部材によって弾性付勢した場合には、各パッドローラ４ｂ，５ｂ，６ｂが独立懸架式となって磁気カードＣの搬送に対する追従性が良好となる。
【実施例２】
【００３３】
図６および図７は、本発明の第２の実施形態を示し、パッドローラブロックをカード走行路に対して横方向に回動させるようにしている。この実施形態におけるパッドローラブロック５０について説明する。パッドローラブロック５０は、前述した実施形態と同様に、駆動ローラ４ａ，５ａ，６ａと協動してカード走行路３に挿入される磁気カードＣを搬送するパッドローラ４ｂ，５ｂ，６ｂを支持している。パッドローラブロック５０は、３個のパッドローラ４ｂ，５ｂ，６ｂを回転自在に支持する支持部材５１と、カード走行路３の略中央に設けられた係合アーム５２と、この係合アーム５２と中央のパッドローラ５ｂとの間に設けられたバネ部材としてのコイルスプリング５３と、このコイルスプリング５３の一端側を係合アーム側で支持する固定支持板５４、およびパッドローラ５ｂ側で支持する可動支持板５５とから主に構成されている。
【００３４】
パッドローラブロック５０の支持部材５１の構成は、前述した第１の実施形態とほぼ同様であるので、その詳細な説明は省略する。以下、第１の実施形態と相違する構成について説明する。支持部材５１には、カード走行路３のほぼ中央には、円柱状に形成された係合アーム５２の先端を支持部材５１の幅方向の一端から突出させて取り付けられている。また、この係合アーム５２の先端側は、基端側を支点として図示の上下方向に揺動可能なように、支持部材５１には長孔５１ｃが形成されている。さらに、係合アーム５２には、略コ字状に屈曲形成した固定支持板５４の両側部が固着されている。固定支持板５４の下端面には、コイルスプリング５３の一端側が取り付けられている。また、支持部材５１の下端部には、同支持部材５１の両側部に嵌合するように略コ字状に屈曲形成した可動支持板５５が上下動可能に設けられている。そして、可動支持板５５には、コイルスプリング５３の他端側が取り付けられている。このコイルスプリング５３は、常時は可動支持板５５を固定支持板５４から離間するように弾性付勢している。また、可動支持板５５の両側部には、左右一対のパッドローラ５ｂが各々回転自在に枢支されている。これらのパッドローラ５ｂは、駆動ローラ５ａに押圧させることにより、コイルスプリング５３の弾力に抗して移動すると共に、コイルスプリング５３のバネ圧に従って駆動ローラ５ａに押圧される。
【００３５】
一方、本体ブロックの側板９のほぼ中央には、係合部としての係合溝５６が、カード走行路３と平行に形成されている。係合溝５６は、前方側に開口５６ａが形成されている。そして、係合溝５６には、パッドローラブロック５０に取り付けられた係合アーム５２の一端を係合させていて、パッドローラブロック５０は、係合溝５６にガイドされながら前後に水平移動させることができる。また、パッドローラブロック５０の前後に設けられた側板５１ａには、支軸５１ｂが固着されている。この支軸５１ｂを回動支点としてパッドローラブロック５０を回動させることができる。
【００３６】
次に、第２の実施形態にかかるパッドローラブロック５０の解除、組み付け動作について説明する。先ず、係合アーム５２を矢印ｄで示す右方向に押圧して、パッドローラブロック５０を右方向に水平移動させ、係合アーム５２を係合溝５６の開口５６ａまで移動して係合を解除する。その後、係合アーム５２を図示上方に持ち上げることにより、図６に示すように、パッドローラブロック５０は、支軸５１ｂを回動支点として回動し、カードリーダの本体ブロック１のカード走行路３が開放状態となる。この状態において、各種のメンテナンス作業を行うことができる。
【００３７】
また、パッドローラブロック５０を組み付けるときは、パッドローラブロック５０を時計方向に回動して、係合アーム５２を係合溝５６の開口５６ａに合わせように押圧する。このとき、パッドローラ５ｂがコイルスプリング５３の弾力に抗して駆動ローラ５ａに押圧され、パッドローラ４ｂ，６ｂが駆動ローラ４ａ，６ａに当接する。次に、パッドローラブロック５０を前述した解除するときとは逆の方向に水平移動する。この組み付け操作により、カードリーダは、図７に示すように、再び前述したカード搬送モードとなる。
【００３８】
上述した第２の実施形態において、係合アーム５２を係合する係合溝５６に、係合アーム５２を係止して水平方向の移動を阻止するための係止部を形成しても良い。この係止部を形成した場合には、係合アーム５２がコイルスプリング５３の弾力により係止部に落とし込まれるので、パッドローラブロック１６を本体ブロック１に対して不動の状態にすることができる。
【００３９】
一方、第２の実施形態は、パッドローラブロック５０を水平移動させて係合アーム５２と係合溝５６との係合および解除を行うようにしたが、パッドローラブロック５０は回動のみとして、係合アーム５２の先端側を移動させて係合溝５６との係合および解除を行うようにしても良い。すなわち、支持部材５１にカード走行路３と平行な長孔を形成して、係合アーム５２の基端側を水平方向に揺動可能とし、係合アーム５２の先端側を支持部材５１に支持する。そして、係合アーム５２の先端側を支点として水平方向に回動させることにより、係合溝５６との係合および解除を行う。この操作時には、パッドローラブロック５０が水平移動せず、支軸５１ｂを回動支点として回動するのみである。
【００４０】
なお、前述した各実施形態において、バネ部材としてのコイルスプリングを固定支持板と可動支持板との間に取り付けた例を示したが、コイルスプリングの各端部にフック部を形成し、このフック部を係合アームとパッドローラの支持軸に各々懸架することによって取り付け、固定支持板および可動支持板を省略するようにしても良い。また、駆動ローラ４ａ，５ａ，６ａおよびパッドローラ４ｂ，５ｂ，６ｂを各２個づつ設けたが、例えば、中央に配設した駆動ローラ５ａおよびパッドローラ５ｂ１個にしても良い。さらに、係合アームを係合する係合溝は、図４、図５に示すように、係止部を２個所設けて略Ｆ字状に形成しても良く、種々変更可能である。さらにまた、前述したカードリーダの構成は一例を示すものであり、他の構成に適宜変更することも可能であり、その他、本発明を逸脱しない範囲で変形可能である。
【産業上の利用可能性】
【００４１】
本発明は、磁気カードの磁気情報を処理するカードリーダに適用可能である。
【図面の簡単な説明】
【００４２】
【図１】（Ａ）乃至（Ｃ）は、本発明にかかる第１の実施形態によるパッドローラブロックの動作を示す動作説明図である。
【図２】本発明にかかるカードリーダを示す平面図である。
【図３】本発明にかかるカードリーダのパッドローラブロックを主とした構成を示す側面図である。
【図４】本発明にかかるカードリーダのカード搬送モードの状態を示す斜視図である。
【図５】本発明にかかるカードリーダのパッドローラブロックを解除した状態を示す斜視図である。
【図６】本発明にかかる第２の実施形態によるカードリーダのパッドローラブロックを解除した状態を示す斜視図である。
【図７】本発明にかかる第２の実施形態によるカードリーダのパッドローラブロックを主とした構成を示す側面図である。
【符号の説明】
【００４３】
１                カードリーダの本体ブロック
２                カード挿入口
３                カード走行路
４，５，６        搬送ローラ
４ａ，５ａ，６ａ  駆動ローラ
４ｂ，５ｂ，６ｂ  パッドローラ
７                磁気ヘッド
１５              パッドローラブロック
１６              支持部材
１７，１８        係合アーム
１９，２０        コイルスプリング
２１              固定支持板
２２              可動支持板
２３，２４        係合溝
２３ａ            開口
２４ａ            係止部
【図１】
2005089054.tif 000003
【図２】
2005089054.tif 000004
【図３】
2005089054.tif 000005
【図４】
2005089054.tif 000006
【図５】
2005089054.tif 000007
【図６】
2005089054.tif 000008
【図７】
2005089054.tif 000009